(57)【要約】      （修正有）【課題】通常平面であるタペストリーを曲面にて表現することで、立体性を持たせ、より視認性を上げることができる半円形のタペストリー装置を提供する。【解決手段】壁面固定部材１０を用い、半円タペストリーを形成する。タペストリー１１の上部袋縫い部分１１ａへ上部用半円パイプを挿通させる。上部半円パイプの開放部分１２ａを壁面固定部材１０の突起１０ａへ、上部半円パイプの開放部分１２ｂを壁面固定部材の突起１０ｂへ挿通させる。タペストリー１１の下部袋縫い部分１１ｂへ下部用半円パイプ１３を挿通させる。壁面固定部材を壁面に固定する。【選択図】図１
0003197340.tif 000002
【実用新案登録請求の範囲】
【請求項１】
壁面に設けられた取付具に取付けられるタペストリーであって、該タペストリーは、その上端縁と下端縁に袋状部がそれぞれ形成され、前記袋状部には、半円状に曲げられたパイプ部材が挿入されており、前記タペストリーの上端縁部分には、前記取付具に固定される壁面固定部材が設けられていることを特徴とするタペストリー装置。
【請求項２】
前記壁面固定部材は、左右に突起部が形成されており、この突起部が前記パイプ部材の端部の穴に差し込み固定されていることを特徴とする請求項１記載のタペストリー装置。
【請求項３】
前記取付具は、基盤部分と突部を備え、該基盤が壁面に固定され、前記壁面固定部材に形成された穴部が前記突部に係合されることで取付固定されることを特徴とする請求項１又は２記載のタペストリー装置。
【考案の詳細な説明】
【技術分野】
【０００１】本考案は、半円形で立体的に表現可能なタペストリー装置に関する。
【背景技術】
【０００２】従来タペストリーは平面に掲示されたものが一般であり、上部生地の袋縫製部にパイプを挿通した上で、挿通したパイプに紐を挿通し、壁面に対し画鋲等で紐を固定・吊下げをするものである。【０００３】しかし、このようなタペストリー装置は、平面であるため設置正面に対してのアピール能力しかない。【０００４】また従来のタペストリー装置では壁面に画鋲および紐等が常に見える状態であり視覚的に不格好である。
【考案の概要】
【考案が解決しようとする課題】
【０００５】本考案はタペストリーを半円形構造とすることにより正面アプローチだけでなく左右側面へのアピールを可能にし、壁面固定部材を使用することで従来品と比較し吊下げ固定部をタペストリーそのものにより隠す事ができ、視覚的にもスタイリッシュに、より高い宣伝効果を得る事ができる半円形のタペストリー装置を提供することを目的とする。
【課題を解決するための手段】
【０００６】上記目的を達成するため、本考案に係るタペストリー装置は壁面固定部材１０を用い、半円タペストリーを形成する。タペストリー１１の上部袋縫い部分１１ａへ上部用半円パイプ１２を挿通させる。上部半円パイプ１２の１２ａを壁面固定部材１０の突起１０ａへ、上部半円パイプ１２の１２ｂを壁面固定部材の突起１０ｂへ挿通させる。タペストリー１１の下部袋縫い部分１１ｂへ下部用半円パイプ１３を挿通させる。壁面固定部材を壁面に固定する。
【考案の効果】
【０００７】壁面に設置された壁面固定部材と上下に配置された半円形パイプに上下袋縫製された生地を挿通させることにより、タペストリーを半円形譲渡することが出来て立体性と視認性を向上させることができる。【０００８】前記上部の半円形パイプは生地の袋縫製部に挿通した上で、壁面固定部材に固定し、下部半円形パイプを下部袋縫製部に挿通することで平面ではなく自然に半円弧を描いた状態を維持することができる。【０００９】半円形構造により正面アプローチだけでなく左右側面へのアピールを可能にし、壁面固定部材を使用することで従来品と比較し吊下げ固定部をタペストリーそのものにより隠す事ができ、視覚的にもスタイリッシュに、より高い宣伝効果を得る事ができる半円形のタペストリー装置を提供することができる。
【図面の簡単な説明】
【００１０】
【図１】半円形タペストリー壁面固定部材（通常壁面時）斜視図
【図２】半円形タペストリー壁面固定部材（通常壁面時）固定部断面図
【図３】半円形タペストリー壁面固定部材（通常壁面時）固定部断面拡大図
【図４】半円形タペストリー壁面固定部材（通常壁面時）壁面固定部材組立説明図
【図５】半円形タペストリー壁面固定部材（堅固壁面時）斜視図
【図６】半円形タペストリー壁面固定部材（堅固壁面時）固定部断面図
【図７】半円形タペストリー壁面固定部材（堅固壁面時）固定部断面拡大図
【図８】半円形タペストリー壁面固定部材（堅固壁面時）壁面固定部材組立説明図
【考案を実施するための形態】
【００１１】以下、本考案の実施形態に係るタペストリー装置１を図面に基づいて説明する。
【００１２】図１に示すように本考案の実施形態にかかるタペストリー装置は該タペストリー本体１１を建物等の壁面２に固定するための壁面固定部材１０と、前記タペストリー本体１１を上縁部と下縁に配置されるそれぞれ上部半円パイプ１２と下部半円パイプ１３とで構成される。
【００１３】上記の様に構成されるタペストリー装置は、タペストリー本体１１の上縁部に形成される上部袋縫い部１１ａに上部半円パイプ１２が挿通され、タペストリー本体１１の下縁部に形成される下部袋縫い部１１ｂに下部半円パイプ１３が挿通されることでタペストリー本体１１が半円形状とされるようになっている。
【００１４】上記した上部半円パイプ１２は、その両端が開放されており、この開放部分１２ａ、１２ｂに前記した壁面固定用部材１０に設けられた左右の突起部１０ａ、１０ｂが差し込み固定されている。（図４参照）
【００１５】上記の様に構成することで、タペストリー本体１１と、上部半円パイプ１２と壁面固定部材１０とが強固に固定された状態となる。
【００１６】図２は、タペストリー装置を壁面２に固定した状態を示す。このタペストリー装置を固定する取付具３は、平板上の基盤部３ａと、この基盤部３ａから立設する突部３ｂとで構成されている。そして、この取付具３の基盤部３ａが押ピンで壁面２に固定されている。
【００１７】前記したタペストリー装置の壁面固定部材１０には、上部中央に開孔１０ｃが形成されており、この開孔１０ｃに取付具３の突部３ｂが挿入されることでタペストリー装置が壁面２に取付固定されることとなる。
【００１８】なお、タペストリー装置を取付具３を介して壁面２に取付けた際に、取付具３の基盤部厚みがあることによりタペストリー装置が傾くようになるのを防ぐため、壁面固定部材１０の下部に前記基盤部３ｂと同等の厚みを有する傾き防止部材５を設けると良い。
【００１９】図５は、図２で取付不可能な堅固な壁面２の場合にタペストリー装置を壁面２に固定した状態を示す。このタペストリー装置を固定する押ピン４ｄ・４ｅ・４ｆは、壁面固定部材１０の１０ｄ・１０ｅ・１０ｆを挿通させ直接壁面２に打ち込み固定させることで構成されている。
【００２０】上記した構成によると、タペストリー装置を固定するための取付具３、壁面固定部材１０は、タペストリー本体１１部分によって正面方向から見えなくなる位置に配置されているため見栄えが良い。
【図１】
0003197340.tif 000003
【図２】
0003197340.tif 000004
【図３】
0003197340.tif 000005
【図４】
0003197340.tif 000006
【図５】
0003197340.tif 000007
【図６】
0003197340.tif 000008
【図７】
0003197340.tif 000009
【図８】
0003197340.tif 000010